(57)【要約】【課題】マグネット式のラッチ機構を採用した保持装置のように磁石部材と被吸着部材を使用して開閉部材の閉じ状態を保持する装置においても、その閉じた状態にある開閉部材を開ける際に小さな力で容易に開けることができ、その操作性に優れた開閉部材の保持装置等を提供する。【解決手段】磁石部材（４）及び被吸着部材（５）の少なくとも一方を、その磁石部材（４）と被吸着部材（５）の吸着領域面（Ｅ）の中心部（Ｐ）からずれた位置に配置する取付け部（６）を中心にして開閉部材（２）の開けるときの移動方向（Ｂ）に沿って揺動（Ｃ，Ｄ）するように設けた。【選択図】図１
2007138610.tif 000002
【特許請求の範囲】
【請求項１】
開閉部材とこの開閉部材が取り付けられる固定部材の間において、前記開閉部材側に設ける磁石部材又はその磁石部材が磁力により吸着する被吸着部材の一方と前記固定部材側に設ける当該磁石部材又は被吸着部材の残りの一方とを吸着させることにより開閉部材の閉じた状態を保持する装置であって、
前記磁石部材及び被吸着部材の少なくとも一方を、その磁石部材と被吸着部材の吸着領域面の中心部からずれた位置に配置する取付け部を中心にして前記開閉部材の開けるときの移動方向に沿って揺動するように設けたことを特徴とする開閉部材の保持装置。
【請求項２】
前記取付け部を前記吸着領域面の外側の位置に配置する請求項１に記載の保持装置。
【請求項３】
前記取付け部を前記吸着領域面の内側の位置に配置する請求項１に記載の保持装置。
【請求項４】
固定部材に取り付けられる開閉部材を有する構造物であって、その開閉部材と固定部材の間において当該開閉部材の閉じた状態を保持する装置として請求項１乃至３のいずれかに記載の保持装置を装備することを特徴とする構造物。
【発明の詳細な説明】
【技術分野】
【０００１】
本発明は、開閉扉等の開閉部材の閉じた状態を磁石の吸着力を利用して保持する保持装置とこの保持装置を適用した画像形成装置等の構造物に関するものである。
【背景技術】
【０００２】
開閉扉などの開閉部材を有する構造物としては、複写機、プリンタ、複合機等の画像形成装置やその関連装置をはじめ家具やＯＡ（Office Automation）機器等の種々のものがある。そして、このような開閉部材の閉じ状態を保持する手段としては、一般に、信頼性の点で優れている等の理由から鉤部材等を機械的に係止させることにより閉じ状態を固定する、いわゆるメカ式のラッチ機構が多く使用されている。
【０００３】
しかし、メカ式のラッチ機構を使用する場合は、たとえば、その機構を設置するための広めのスペースを確保できない構造物に対しては採用できない制約があったり、コスト面で割高感がある等のデメリットもある。
【０００４】
このため、開閉部材の閉じ状態を保持する別の手段としては、磁石（マグネット）部材の吸着力を利用した保持装置（いわゆるマグネット式のラッチ機構）も使用されている（特許文献１、２）。この保持装置は、たとえば、開閉扉又はその扉が取り付けられる構造物の固定部材（筐体など）の一方に磁石部材（マグネットキャッチなど）を設け、その開閉扉又は固定部材の残りの一方に磁石部材が吸着される被吸着部（鉄板など）を設けたものであって、その扉を閉じたときに磁石部材が磁力により被吸着部に密着するように吸着することで開閉扉の閉じた状態を保持できるものである。
【特許文献１】特開２００２−１９６５５５号公報
【特許文献２】特開２００３−１３６５４号公報
【発明の開示】
【発明が解決しようとする課題】
【０００５】
ところが、マグネット式のラッチ機構を採用した場合であっても、次のような課題がある。
【０００６】
即ち、開閉扉を閉じた際に磁石部材と被吸着部とを確実に吸着させるためには、その磁石部材と被吸着部との吸着領域面どうしを互いに平行な状態に保つことが必要とされているが、反対に開閉扉を開ける際には、その磁石部材と被吸着部とが平行な面状態で確実に吸着されることになるので、その両者を引き離す（剥がす）ためにはその吸着力以上の大きな力が必要となり、操作性が悪いという面がある。
【０００７】
なお、磁石部材と被吸着部との吸着領域面どうしを互いに平行な状態に保つことを可能にする手段として、その磁石部材（マグネットキャッチ）の吸着面や磁石部材そのものを完全に固定せずガタ（遊び）をもたせた状態で支持する構造を採用するものもある。しかし、このようなガタを持たせた支持構造のものであっても、吸着した後はその磁石部材も被吸着部と平行な面状態で確実に吸着された状態になるため、扉を開ける際には同様にして非常に大きな力が必要となる。
【０００８】
本発明は、以上のような課題に鑑みてなされたものであり、前述したマグネット式のラッチ機構を採用した保持装置のように磁石部材と被吸着部材を使用して開閉部材の閉じ状態を保持する装置においても、その閉じた状態にある開閉部材を開ける際に小さな力で容易に開けることができ、その操作性に優れた開閉部材の保持装置と、その保持装置を用いた構造物を提供するものである。
【課題を解決するための手段】
【０００９】
本発明の開閉部材の保持装置は、開閉部材とこの開閉部材が取り付けられる固定部材の間において、前記開閉部材側に設ける磁石部材又はその磁石部材が磁力により吸着する被吸着部材の一方と前記固定部材側に設ける当該磁石部材又は被吸着部材の残りの一方とを吸着させることにより開閉部材の閉じた状態を保持する装置であって、前記磁石部材及び被吸着部材の少なくとも一方を、その磁石部材と被吸着部材の吸着領域面の中心部からずれた位置に配置する取付け部を中心にして前記開閉部材の開けるときの移動方向に沿って揺動するように設けたことを特徴とするものである。
【００１０】
上記開閉部材は、固定部材に対して開けた状態及び閉じた状態として使用され、その閉じた状態を上記磁石部材及び被吸着部材の吸着により保持することが可能な部材（部品）であればよく、たとえば、開閉扉（カバーなどを含む）、開閉状態で使用される部品等である。開閉部材の開閉時に移動するときの運動形態は、移動運動に伴って磁石部材と被吸着部材の吸着及び離間が可能になるものであればよく、たとえば、支軸を中心に揺動する揺動型、スライドするスライド型等である。
【００１１】
上記磁石部材とは、磁石単品でもよいが、一般に磁石とそれを保持する保持部材（ホルダー）などの付属部品とで構成されるものである。また、上記被吸着部材とは、磁石部材が磁力により吸着するものであればよく、たとえば、鉄等の磁性体、吸着する磁性をもつ磁石等である。このような被吸着部材は、一般に、それを設ける対象となる開閉部材又は固定部材と別体のものとして構成するか、又はその開閉部材又は固定部材を構成する構成部品（外装材、内装材など）の一部として一体的に構成することができる。
【００１２】
この磁石部材と被吸着部材は、開閉部材及び固定部材に対の関係となるように適宜配分されて設けられるものであり、具体的には、磁石部材を開閉部材側に設けた場合にはその磁石部材の対の関係になる被吸着部材を固定部材に設ければよく、反対に磁石部材を固定部材側に設けた場合には被吸着部材を開閉部材に設ければよい。
【００１３】
そして、この磁石部材と被吸着部材は、その少なくとも一方（即ち、一方か又は双方）を、上記したような取付け部を中心にして開閉部材の開けるときの移動方向に沿って揺動するように設ければよい。
【００１４】
その取付け部とは、磁石部材又は被吸着部材を開閉部材又は固定部材に主に取り付けるための手段となる構成部分であり、特に磁石部材と被吸着部材の吸着領域面の中心部からずれた位置に配置されるものである。上記吸着領域面とは、磁石部材が被吸着部材に吸着するとき、その両者が実際に吸着により接することになる領域の面である。また、その吸着領域面の中心部とは、その領域面が１つのまとまった領域面であれば、その領域面の距離的にほぼ中心となる位置であり、その領域面が分割されて複数存在する領域面であれば、そのすべての領域面からみて距離的にほぼ中心とみなせる位置である。さらに、開閉部材の開けるときの移動方向に沿って揺動するとは、開閉部材を開けるときに加えられる力により開閉部材が実際に移動する方向（揺動時、スライド時などにおける移動方向）にほぼ沿って（同じ方向又は反対方向のいずれにも）揺れ動くことができるような支持状態である。
【００１５】
取付け部の配置位置である吸着領域面の中心部からずれた位置は、上記したような移動方向への揺動が可能な位置であればよい。このような位置に配置される取付け部は、大別すると、吸着領域面の外側の位置に配置される場合と、吸着領域面の内側の位置に配置される場合とがある。
【００１６】
取付け部を吸着領域面の外側の位置に配置するとは、その領域面から外れた所定の位置に磁石部材又は被吸着部材を開閉部材又は固定部材に取り付けるための部品や構造が位置することである。一方、取付け部を吸着領域面の内側の位置に配置するとは、その領域面内のうちの所定の位置に磁石部材又は被吸着部材を開閉部材又は固定部材に取り付けるための部品や構造が位置することである。
【００１７】
また、本発明の構造物は、固定部材に取り付けられる開閉部材を有する構造物であって、その開閉部材と固定部材の間において当該開閉部材の閉じた状態を保持する装置として上記各構成からなる保持装置のいずれかを装備することを特徴とするものである。
【００１８】
このような構造物としては、たとえば前述したような複写機、プリンタ、複合機等の画像形成装置やその関連装置をはじめ家具やＯＡ機器等の種々のものが挙げられるが、これら以外のものであっても勿論よい。
【発明の効果】
【００１９】
本発明の開閉部材の保持装置及びその保持装置を用いた構造物によれば、その保持装置における磁石部材及び被吸着部材の少なくとも一方が、その磁石部材と被吸着部材の吸着領域面の中心部からずれた位置に配置する取付け部を中心にして当該開閉部材の開けるときの移動方向に揺動するように設けられているので、開閉部材を開けるときには、磁石部材と被吸着部材とがその吸着領域面において平行な面状態のままで引き剥がされるのではなく、その吸着領域面の一端部側（その領域面の中心部と取り付け部とを結ぶ線と交差するような位置にある端部部分）から平行な面状態がくずされて剥がされ始める。この際、剥がされ始める端部側と吸着面の中心部を挟んで反対側の端部側は揺動時の支点のような状態になる。これにより、その開閉部材を小さな力でもって容易に開けることが可能になり、その操作性に優れたものとなる。
【００２０】
また、保持装置における取付け部を吸着領域面の外側の位置に配置した場合には、磁石部材と被吸着部材を引き剥がすための力が当該取り付け部又は被吸着部材を介して吸着領域面の外側の位置（力点）から有効に加えられて、その取付け部と中心部を結ぶ線と交差するような位置にある吸着領域面の端部（作用点）に「てこの原理」に基づくような大きな力が作用するため、小さな力で開けることが可能になる。
【００２１】
さらに、保持装置における取付け部を吸着領域面の内側の位置に配置した場合には、磁石部材又は被吸着部材の取付け部品等がその領域面の外側に存在しなくなるため、その磁石部材又は被吸着部材の設置スペースを省スペース化することが可能になる。
【発明を実施するための最良の形態】
【００２２】
［実施の形態１］
図１及び図２は本発明の実施の形態１に係る開閉カバーの保持装置１Ａを示すものであり、図１はそのカバーを開けた状態を示す一部断面概要図、図２はそのカバーを閉じた状態を示す一部断面概要図である。
【００２３】
この保持装置１Ａは、開閉カバー２とこの開閉カバー２が開閉するように取り付けられる本体フレーム３との間において、その本体フレーム３側に設けるマグネット体４Ａと、その開閉カバー２側に設ける被吸着板５Ａとで構成されている。マグネット体４Ａと被吸着板５Ａは、開閉カバー２を閉じたときに対向し合う位置にそれぞれ設けられている。
【００２４】
開閉カバー２は、本体フレーム３の開口部（図示せず）を少なくとも覆うことができる寸法形状からなる板状のものであり、その下端部が支軸２５を介して本体フレーム３に矢印Ａ，Ｂに示す方向に揺動するように取り付けられている。また、この開閉カバー２の側部には、その開ける操作を行う際に使用されるハンドル２７が取り付けられている。このハンドル２７は、カバー２の側部に立設される支軸２８に対して揺動するように取り付けられている。
【００２５】
マグネット体４Ａは、図１〜４等に示すように、マグネット板４１とこのマグネット板４１を保持する角柱状のホルダー４２とで構成されている。マグネット板４１は、永久磁石からなるものであり、ホルダー４２の下部側に寄せた状態で収容されて固定されている。そして、このマグネット板４１を保持するホルダー４２は、その上端部が支軸４６により本体フレーム３に対して回動するように取り付けられている。
【００２６】
このマグネット体４Ａを本体フレーム３に取り付ける取付け部６としての支軸４６は、図３、４等に示すように、マグネット体４Ａと被吸着板５Ａの吸着領域面Ｅ（この例ではマグネット板４１の吸着面と同じ）の中心部Ｐから距離Ｇ１だけずれた位置に設けられているとともに、マグネット体４Ａが開閉カバー２を開けるときの移動方向Ｂに揺動するように吸着領域面Ｅと平行する軸線Ｈに沿うように設けられている。これにより、マグネット体４Ａは、支軸４６を中心にして開閉カバー２を開けるときの移動方向Ｂ（実際には矢印Ｄ方向）に揺動するようになっている。
【００２７】
また、マグネット体４Ａは、平常時（カバー２を開けるとき以外の時）には、そのホルダー４２が支軸４６により垂下した状態になるとともに、本体フレーム３の垂直固定面部３１に当接して停止した状態になる。このため、マグネット体４Ａは、垂直固定面部３１に当たることによりそれ以上は支軸４６を中心にして矢印Ｃ方向へは回動しないことになっている。一方、マグネット体４Ａは、そのホルダー４２がカバー２を開ける操作の際に支軸４６を中心にして矢印Ｄ方向に回動したとき、ホルダー４２の上面部がカバー２側に直角以上の角度に折り曲げられた曲げ固定面部３２に当ってそれ以上は支軸４６を中心にして矢印Ｄ方向へは回動しない状態に保たれるようになっている。
【００２８】
一方、被吸着板５Ａは、鉄等からなる板状のものであり、開閉カバー２の上端部内面側に固定した状態で取り付けられている。また、この被吸着板５Ａは、カバー２を閉じたときにマグネット体４Ａのマグネット板４１の面と平行な状態になるような姿勢でもって取り付けられている。
【００２９】
次に、この保持装置１Ａの動作について説明する。
【００３０】
まず、開閉カバー２を閉じるときは、図２に示すように、開いた状態にある開閉カバー２（図１）をその支軸２５を中心にして矢印Ａ方向に揺動させることになる。このとき、そのカバー２側にある被吸着板５Ａが、本体フレーム３側にあるマグネット体４Ａに対向するように接近し、最後に磁力によりそのマグネット板４１の表面に対して垂直平行な状態でもって密着するように吸着する（図２、図３）。これにより、開閉カバー２は、その閉じた状態が保持されることになる。
【００３１】
反対に、開閉カバー２を開けるときには、図５に示すように、閉じた状態にある開閉カバー２（図２）をハンドル２７に手をかけながら支軸２５を中心にして矢印Ｂ方向に揺動させることになる。このとき、そのカバー２の上端部側にある被吸着板５Ａが、本体フレーム３側にあるマグネット体４Ａから離れる方向（矢印Ｂ方向）に移動するため、マグネット体４Ａが被吸着板５Ａに引っ張られるかのように支軸４６を中心にして矢印Ｄ方向に揺動する状態になる。
【００３２】
このため、被吸着板５Ａとマグネット体４Ａのマグネット板４１とは、図５や図６に示すように、その吸着領域面Ｅの一端部側（その領域面Ｅの中心部Ｐと支軸４６とを結ぶ線と交差するような位置にある端部部分）Ｅａから平行な面状態がくずされて剥がされ始める。この際、図６に示すように、剥がされ始める吸着領域面の端部Ｅａ側と吸着面の中心部Ｐを挟んで反対側の端部側Ｅｂは揺動時の支点のような状態におかれる。
【００３３】
これにより、この保持装置１Ａによれば、その開閉カバー２を小さな力（Ｆ１）でもって容易に開けることが可能になり、その開けるときの操作性が優れたものになる。
【００３４】
また、この保持装置１Ａでは、マグネット体４Ａの取付け部６としての支軸４６を吸着領域面Ｅの外側となる位置に配置しているため、図６に示すように、マグネット体４Ａ（のマグネット板４１）と被吸着板５Ａを引き剥がすための力（Ｆ１）が前記吸着領域面端部側Ｅｂを支点とする被吸着板５Ａと支軸４６の間（力点）に有効に加えられ、これにより支軸４６と領域面Ｅの中心部Ｐを結ぶ線が交わる領域面端部（作用点）Ｅａに「てこの原理」に基づくような大きな力が引き離す方向に作用するため、より一層小さな力で開けることが可能になる。
【００３５】
［実施の形態２］
図７及び図８は本発明の実施の形態２に係る開閉カバーの保持装置１Ｂを示すものであり、図７はそのカバーを開けた状態を示す一部断面概要図、図８はそのカバーを閉じた状態を示す一部断面概要図である。
【００３６】
この保持装置１Ｂは、マグネット体４Ｂを開閉カバー２側に設け、被吸着板５Ｂを本体フレーム３側に設けるように変更した以外は実施の形態１に係る保持装置１Ａと同じ構成からなるものである。
【００３７】
即ち、マグネット体４Ｂは、そのマグネット板４１を保持するホルダー４２の上端部が支軸４６により開閉カバー２の上端部内面側に対して回動するように取り付けられている。このマグネット体４Ｂを開閉カバー２に取り付ける取付け部６としての支軸４６は、実施の形態１の場合と同様に、マグネット体４Ｂと被吸着板５Ｂの吸着領域面Ｅの中心部Ｐから距離Ｇだけずれた位置に設けられているとともに、マグネット体４Ｂが開閉カバー２を開けるときの移動方向Ｂに揺動するように吸着領域面Ｅと平行する軸線Ｈに沿うように設けられている（図９、図４参照）。これにより、マグネット体４Ｂは、支軸４６を中心にして開閉カバー２を開けるときの移動方向Ｂ（実際には矢印Ｂ方向とは反対側の矢印Ｊ方向）に沿って揺動するようになっている。
【００３８】
また、マグネット体４Ｂは、平常時（カバー２を開けるとき以外の時）には、そのホルダー４２が支軸４６により垂下した状態になるとともに、開閉カバー２の垂直固定面部２１に当接して停止した状態になる。このため、マグネット体４Ｂは、垂直固定面部２１に当たることによりそれ以上は支軸４６を中心にして矢印Ｋ方向へは回動しないことになっている。一方、マグネット体４Ｂは、そのホルダー４２がカバー２を開ける操作の際に支軸４６を中心にして矢印Ｊ方向に回動したとき、ホルダー４２の上部後面部がカバー２の垂直面からそのカバー表面側にわずかな角度だけ折り曲げられた曲げ固定面部２２に当ってそれ以上は支軸４６を中心にして矢印Ｊ方向へは回動しない状態に保たれるようになっている。
【００３９】
一方、被吸着板５Ｂは、鉄等からなる板状のものであり、本体フレーム３の垂直面部に取り付けたものであってもよいが、この例では、本体フレーム３の一部３３を被吸着板として併用するように構成している。また、この被吸着板５Ｂも、実施の形態１の場合と同様に、カバー２を閉じたときにマグネット体４Ｂのマグネット板４１の面と平行な状態になるような姿勢でもって取り付けられている。
【００４０】
次に、この保持装置１Ｂの動作について説明する。
【００４１】
まず、開閉カバー２を閉じるときは、図８に示すように、開いた状態にある開閉カバー２（図７）をその支軸２５を中心にして矢印Ａ方向に揺動させることになる。このとき、そのカバー２側にあるマグネット体４Ｂが、本体フレーム３側にある被吸着板５Ｂ（３３）に対向するように接近し、最後に磁力によりそのマグネット板４１の表面が垂直平行な状態でもって被吸着板５Ｂの表面に密着するように吸着する（図８、図９）。これにより、開閉カバー２は、その閉じた状態が保持されることになる。
【００４２】
反対に、開閉カバー２を開けるときには、図１０に示すように、閉じた状態にある開閉カバー２（図８）をハンドル２７に手をかけながら支軸２５を中心にして矢印Ｂ方向に揺動させることになる。このとき、そのカバー２の上端部側にあるマグネット体４Ｂが、本体フレーム３側にある被吸着板５Ｂ（３３）から離れる方向（矢印Ｂ方向）に移動するため、マグネット体４Ｂが被吸着板５Ｂに引っ張られるかのように支軸４６を中心にして矢印Ｊ方向に揺動する状態になる。
【００４３】
このため、マグネット体４Ｂのマグネット板４１と被吸着板５Ｂは、図１０や図１１に示すように、その吸着領域面Ｅの一端部側（その領域面Ｅの中心部Ｐと支軸４６とを結ぶ線と交差するような位置にある端部部分）Ｅａから平行な面状態がくずされて剥がされ始める。この際、図１１に示すように、剥がされ始める吸着領域面の端部Ｅａ側と吸着面の中心部Ｐを挟んで反対側の端部側Ｅｂは揺動時の支点のような状態におかれる。
【００４４】
これにより、この保持装置１Ｂによれば、その開閉カバー２を小さな力（Ｆ２）でもって容易に開けることが可能になり、その開けるときの操作性が優れたものになる。
【００４５】
また、この保持装置１Ｂにおいても、マグネット体４Ｂの取付け部６としての支軸４６を吸着領域面Ｅの外側となる位置に配置しているため、図１１に示すように、マグネット体４Ｂ（のマグネット板４１）と被吸着板５Ｂを引き剥がすための力（Ｆ２）が前記吸着領域面端部側Ｅｂを支点とする被吸着板５Ｂ（力点）に有効に加えられ、これにより支軸４６と領域面Ｅの中心部Ｐを結ぶ線が交わる領域面端部（作用点）Ｅａに「てこの原理」に基づくような大きな力が引き離す方向に作用するため、より一層小さな力で開けることが可能になる。
【００４６】
［実施の形態３］
図１２は、本発明の実施の形態３に係る開閉カバーの保持装置１Ｃの要部を示すものである。即ち、保持装置１Ｃは、開閉カバー２側に設けるマグネット体４Ｃを変更した以外は実施の形態２に係る保持装置１Ｂと同じ構成からなるものである。
【００４７】
この保持装置１Ｃにおけるマグネット体４Ｃは、永久磁石からなる板状のマグネット４３単体（又はホルダーを含むものでもよい）で構成されたものであり、その上端部が支軸４７により開閉カバー２に対して揺動するように取り付けられている。なお、このマグネット体４Ｃが吸着される被吸着板５Ｃは、実施の形態２の場合と同様に、本体フレーム３の一部３３を被吸着板として併用するように構成されている。
【００４８】
このマグネット体４Ｃを開閉カバー２に取り付ける取付け部６としての支軸４７は、図１２、１３等に示すように、マグネット体４Ｃと被吸着板５Ｃの吸着領域面Ｅ（この例ではマグネット体４Ｃのマグネット４３の吸着面とほぼ同じ）の中心部Ｐから距離Ｇ２だけずれた吸着領域面Ｅの内側となる位置に設けられているとともに、マグネット体４Ｃが開閉カバー２を開けるときの移動方向Ｂに沿って揺動するように吸着領域面Ｅと直交する軸線Ｌに沿うように設けられている。
【００４９】
特にこの例では、支軸４７として、開閉カバー２の取付け面部２３に立設した支柱部４７ａとこの支柱部４７ａの頂部に設けられた径の大きい軸頭部４７ｂの構造からなり、しかも、その取付け面部２３からの高さがマグネット体４Ｃの厚さよりも小さい（低い）寸法に設定されたものを使用している。この支軸４７に取り付けるマグネット体４Ｃには、軸受け孔４８が形成されている。この軸受け孔４８は、マグネット体の吸着領域面Ｅ側から軸頭部４７ｂの径よりも大きくかつその厚さよりも深い寸法からなる凹部４８ｂと、この凹部４８ｂの底部から支柱部４７ａが余裕をもって通過する径でもってマグネット体４Ｃの反対面（吸着領域面と反対側の面）に貫通し、しかもその反対面側にむけて末広がりのように広がるテーパー形状からなるテーパー貫通孔４８ａとを有するように形成されるものである。
【００５０】
これにより、マグネット体４Ｃは、その軸受け孔４８内に存在する支軸４７を中心にして開閉カバー２を開けるときの移動方向Ｂ（実際には矢印Ｂ方向とは反対方向の矢印Ｍ方向）に沿って揺動できるようになっている（図１４）。
【００５１】
次に、この保持装置１Ｃの動作について説明する。
【００５２】
まず、開閉カバー２を閉じるときは（図８参照）、開いた状態にある開閉カバー２（図７参照）を支軸２５を中心にして矢印Ａ方向に揺動させることになる。このとき、そのカバー２側にあるマグネット体４Ｃが、本体フレーム３側にある被吸着板５Ｃ（３３）に対向するように接近し、最後に磁力によりそのマグネット４３の表面（Ｅ）が垂直平行な状態でもって被吸着板５Ｃの表面に密着するように吸着する（図１２）。これにより、開閉カバー２は、その閉じた状態が保持されることになる。
【００５３】
反対に、開閉カバー２を開けるときには、閉じた状態にある開閉カバー２（図８参照）をハンドル２７に手をかけながら支軸２５を中心にして矢印Ｂ方向に揺動させることになる。このとき、図１４に示すように、そのカバー２の上端部側にあるマグネット体４Ｃが、本体フレーム３側にある被吸着板５Ｃ（３３）から離れる方向（矢印Ｂ方向）に移動するため、マグネット体４Ｃが被吸着板５Ｃに引っ張られるかのように支軸４７とその軸受け孔４８を中心にして矢印Ｍ方向に揺動する状態になる。
【００５４】
詳しくは、開閉カバー２の矢印Ｂ方向への移動により、支軸４７の軸頭部４７ｂが軸受け孔４８の凹部４８ｂの底面部に突き当たる状態となり、これによりマグネット体４Ｃを矢印Ｂ方向に移動させるような力が発生する。続いて、この軸頭部４７ｂが凹部４８ｂの底面部と接する部位４８ｃを支点とするように、その支軸４７の支柱部４７ａと末広がり状のテーパー貫通孔４８ａとの隙間がある分だけマグネット体４Ｃの下部側が矢印Ｍ方向に揺れ動くことができるようになる。
【００５５】
このため、マグネット体４Ｃのマグネット４３と被吸着板５Ｃは、図１４に示すように、その吸着領域面Ｅの一端部側（その領域面Ｅの中心部Ｐと支軸４７とを結ぶ線と交差するような位置にある端部部分）Ｅａから平行な面状態がくずされて剥がされ始める。この際、図１４に示すように、剥がされ始める吸着領域面の端部Ｅａ側と吸着面の中心部Ｐを挟んで反対側の端部側Ｅｂは揺動時の支点のような状態におかれる。
【００５６】
これにより、この保持装置１Ｃによれば、その開閉カバー２を小さな力（Ｆ３）でもって容易に開けることが可能になり、その開けるときの操作性が優れたものになる。
【００５７】
また、このようなマグネット体４Ｃを採用した保持装置１Ｃにおいては、実施の形態１，２の場合と異なり、マグネット体４Ｃの取付け部６としての支軸４７がその吸着領域面Ｅの外側に存在しなくなるため、そのマグネット体４Ｃの設置スペースを小さくすることが可能になる。
【００５８】
なお、この実施の形態３に係る保持装置１Ｃにおいては、マグネット体４Ｃを実施の形態１の場合のように本体フレーム３側に設けるように構成することも可能である。この場合、被吸着板５（Ｃ）は、開閉カバー２側に被吸着板５（Ｄ）として設けられることになる。このように構成した保持装置１Ｄの場合にも、保持装置１Ｃの場合と同様に、その開閉カバー２を開けるときには小さな力（Ｆ４）でもって容易に開けることが可能になる。
【００５９】
［実施の形態４］
図１５〜図１７は、本発明の実施の形態４に係る開閉カバーの保持装置１（Ａ，Ｂ，Ｃ，Ｄ）を用いた用紙搬送装置（又は画像形成装置）７の要部を示すものである。図１５はその用紙搬送装置７の正面側の概要図、図１６はその用紙搬送装置７の上面側の概要図、図１７は開閉カバーを開けた状態を示す正面側の概要図である。
【００６０】
この用紙搬送装置７は、その本体フレーム７１、底部フレーム７２、天板フレーム７３等により箱状に形成された本体部と、この本体部（の本体フレーム７１）の開口部に開閉するように取り付けられた開閉カバー２０とを有し、例えば、その本体部の本体フレーム７１と開閉カバー２０との対向する部位に複数の用紙搬送駆動ロール８１Ａ，８１Ｂ，８１Ｃ，…及び用紙搬送従動ロール８２Ａ，８２Ｂ，８２Ｃ，…を対の状態で設置し、その開閉カバー２０を閉じた状態にすることにより両ロール８１，８２を圧接させたうえで、そのニップ部（圧接部）に用紙を通過させるようにして所定の搬送先へ搬送するように構成されたものである。
【００６１】
開閉カバー２０は、その１側面部が支軸２９を介して本体フレーム７１の側部に揺動するように取り付けられており、これにより、矢印Ａ，Ｂ方向に揺動させるように動かすことでその開閉操作ができるようになっている。また、開閉カバー２０の内面側には、用紙の搬送ガイドとしても兼用する突設部２４が設けられている。この突設部２４の上下方向の所定部位には、回転軸８５に取り付けられた前記用紙搬送従動ロール８２が設けられている。この用紙搬送従動ロール８２は、回転軸８５の軸受８６を介して加圧用スプリング８３により矢印Ｓ方向に付勢されており、これにより、開閉カバー２０を閉じて用紙搬送従動ロール８２が用紙搬送駆動ローラ８１に対して所定の圧力で圧接されるようになっている。これに対し、本体フレーム７１に設置されている用紙搬送駆動ローラ８１は、回転駆動軸８４に取り付けられた状態で固定位置において用紙の搬送方向に回転駆動するようになっている。
【００６２】
そして、この用紙搬送装置７においては、その開閉カバー２０と本体フレーム７１の間において、そのカバーの閉じた状態を保持するための保持装置１を装備している。この保持装置１としては、実施の形態１〜３に係る保持装置１Ａ，１Ｂ，１Ｃ（１Ｄ）を採用している。
【００６３】
即ち、保持装置１（Ａ〜Ｄ）におけるマグネット体４（Ａ〜Ｄ）を開閉カバー２０の支軸２９のある側と反対側の他側部（たとえば上下方向における中央部）に設けるとともに、その保持装置１（Ａ〜Ｄ）における被吸着板５（Ａ〜Ｄ）を本体フレーム７１の対向部位に設ける。また、反対に、そのマグネット体４（Ａ〜Ｄ）を本体フレーム７１側に設ける場合には、その被吸着板５（Ａ〜Ｄ）を開閉カバー２０側に設ける。
【００６４】
これにより、用紙搬送装置７においては、その開閉カバー２０を矢印Ａ方向に揺動させて閉じたときには、保持装置１（Ａ〜Ｄ）におけるマグネット体４（Ａ〜Ｄ）と被吸着板５（Ａ〜Ｄ）とが実施の形態１〜３で説明したように吸着することにより、その閉じた状態が保持される。
【００６５】
この開閉カバー２０を閉じた状態では、図１５や図１６に示すように、開閉カバー２０側にある各用紙搬送従動ロール８２が本体フレーム７１側の対向する位置にある各用紙搬送駆動ローラ８１に対して加圧用スプリング８３による付勢力でもってそれぞれ圧接された状態となる。そして、用紙搬送駆動ローラ８１を用紙搬送方向に回転駆動させることにより、用紙搬送従動ロール８２が従動回転するため、この両ロール８１，８２のニップ部を通して用紙が搬送される。
【００６６】
一方、図１７に示すように、その開閉カバー２０を開けるときには、保持装置１（Ａ〜Ｄ）におけるマグネット体４（Ａ〜Ｄ）又は被吸着板５（Ａ〜Ｄ）が実施の形態１〜３で説明したように各取付け部６を中心して揺動するように設けられていることにより、実施の形態１〜３で説明した場合と同様に、小さな力（Ｆ）で開閉カバー２０を矢印Ｂ方向に開けることができる。このように小さな力で開閉カバー２０を開けることができるため、その開ける操作性が良くなることは勿論のこと、その開けるときの衝撃力も小さくなるため用紙搬送装置７側に不要な振動（衝撃）を与えることを低減できるようにもなる。
【００６７】
また、この用紙搬送装置７では、閉じたときの開閉カバー２０に対しては、加圧用スプリング８３の付勢力による反発力（Ｒ）がカバー２０を開ける方向に押す力として作用する。この反発力（Ｒ）も開閉カバー２０を開けるときの補助力として作用するため、このことによっても開閉カバー２０を開けるときに、より一層小さな力で済むようになる。なお、この反発力（Ｒ）により開閉カバー２０が不用意に開いてしまうことを防止するため、保持装置１に加えてメカ式のラッチ機構を併設して使用してもよい。
【００６８】
［他の実施の形態］
実施の形態１〜４においては、保持装置１としてマグネット体４を取付け部６を中心にして揺動するように設けた場合について例示したが、マグネット体４に代えて被吸着板５を又はマグネット体４及び被吸着板５の双方を取付け部６を中心にして揺動するように設けるようにすることもできる。
【００６９】
また、実施の形態１〜４においては、保持装置１を適用する開閉部材として揺動式の開閉カバーを使用する場合について例示したが、スライド式の開閉カバー等の開閉部材を使用することもできる。
【図面の簡単な説明】
【００７０】
【図１】実施の形態１に係る開閉カバーの保持装置の当該開閉カバーを開けたときの状態を示す一部断面概要図である。
【図２】図１の保持装置の開閉カバーを閉じたときの状態を示す一部断面概要図である。
【図３】図１の保持装置におけるマグネット体と被吸着板との構成（吸着した状態）を示す正面側から見たときの説明図である。
【図４】図３のマグネット体の取付けの構成を示す側面側から見たときの説明図である。
【図５】図１の保持装置の開閉カバーを開けるときの状態を示す一部断面概要図である。
【図６】図５の保持装置において開閉カバーを開けるときのマグネット体及び被吸着板の状態を示す正面側から見たときの説明図である。
【図７】実施の形態２に係る開閉カバーの保持装置の当該開閉カバーを開けたときの状態を示す一部断面概要図である。
【図８】図７の保持装置の開閉カバーを閉じたときの状態を示す一部断面概要図である。
【図９】図７の保持装置におけるマグネット体と被吸着板との構成（吸着した状態）を示す正面側から見たときの説明図である。
【図１０】図７の保持装置の開閉カバーを開けるときの状態を示す一部断面概要図である。
【図１１】図１０の保持装置において開閉カバーを開けるときのマグネット体及び被吸着板の状態を示す正面側から見たときの説明図である。
【図１２】実施の形態３に係る保持装置におけるマグネット体と被吸着板との構成（吸着した状態）を示す正面側から見たときの説明図である。
【図１３】図１２のマグネット体の取付けの構成を示す側面側から見たときの説明図である。
【図１４】図１２の保持装置において開閉カバーを開けるときのマグネット体及び被吸着板の状態を示す正面側から見たときの説明図である。
【図１５】実施の形態４に係る保持装置を用いた用紙搬送装置の要部を示す正面側の概要図である。
【図１６】図１５の用紙搬送装置の要部を示す上面側の概要図である。
【図１７】図１５の用紙搬送装置において開閉カバーを開けたときの状態を示す上面側の概要図である。
【符号の説明】
【００７１】
２，２０…開閉カバー（開閉部材）、３，７１…本体フレーム（固定部材）、４…マグネット体（磁石部材）、５…被吸着板（被吸着部材）、６…取付け部、７…用紙搬送装置（構造物）、４６，４７…支軸（取付け部）、４８…軸受け孔（取付け部）、Ｂ…開閉カバーを開けるときの移動方向、Ｃ，Ｄ，Ｊ，Ｋ，Ｍ，Ｎ…揺動方向、Ｅ…吸着領域面、Ｐ…中心部。
【図１】
2007138610.tif 000003
【図２】
2007138610.tif 000004
【図３】
2007138610.tif 000005
【図４】
2007138610.tif 000006
【図５】
2007138610.tif 000007
【図６】
2007138610.tif 000008
【図７】
2007138610.tif 000009
【図８】
2007138610.tif 000010
【図９】
2007138610.tif 000011
【図１０】
2007138610.tif 000012
【図１１】
2007138610.tif 000013
【図１２】
2007138610.tif 000014
【図１３】
2007138610.tif 000015
【図１４】
2007138610.tif 000016
【図１５】
2007138610.tif 000017
【図１６】
2007138610.tif 000018
【図１７】
2007138610.tif 000019